(57)【要約】      （修正有）【課題】隣接するパネルをまたいでレールを配置することができる、乾式タイル構造を提供する。【解決手段】建物の壁面パネル１に水平に設けたレール２にタイル３を嵌合して前記壁面パネル１表面にタイル３を配置する、乾式タイル構造であって、前記レール２は前記壁面パネル１と平行な壁取付部と、前記壁取付部の上端および下端に立設する係止部と、を有し、前記レール２は、前記壁取付部に形成したボルト穴に挿通するボルト４によって前記壁面パネル１表面に直接配置し、前記タイル３を前記レール２の係止部に係止して取り付け、前記レール２は、前記ボルト４を支点として前記壁面パネル１に対して回動可能であることを特徴とする。【選択図】図１
0003204190.tif 000002
【実用新案登録請求の範囲】
【請求項１】
建物の壁面パネルに水平に設けたレールにタイルを嵌合して前記壁面パネル表面にタイルを配置する、乾式タイル構造であって、
前記レールは前記壁面パネルと平行な壁取付部と、前記壁取付部の上端および下端に立設する係止部と、を有し、
前記レールは、前記壁取付部に形成したボルト穴に挿通するボルトによって前記壁面パネル表面に直接配置し、
前記タイルを前記レールの係止部に係止して取り付け、
前記レールは、前記ボルトを支点として前記壁面パネルに対して回動可能であることを特徴とする、乾式タイル構造。
【請求項２】
請求項１に記載の乾式タイル構造において、前記ボルト頭部と前記レールとの間に弾性部材を配置することを特徴とする、乾式タイル構造。
【考案の詳細な説明】
【技術分野】
【０００１】
本考案は、建築物の外装材としてタイルを用いた乾式タイル構造に関するものである。
【背景技術】
【０００２】
鉄骨造の構造物の外壁構造として、ＰＣ板や押出成形セメント板などのパネルを用いる構造が広く用いられている。
これらの構造は、地震などの外力による構造物の変形に対してパネルがロッキングすることにより、層間変位に追従するようになっている。
【０００３】
また、近年は、壁面をタイル貼りで仕上げた建物が人気となっている。
壁面にタイルを配置する工法としては、壁面にモルタルや接着剤を塗布し、モルタル面にタイルを張り付ける湿式タイル工法が一般的であったが、最近は、壁面にステンレス製のレールを配置し、タイルの裏足とレールとを嵌合して配置するカーニバル工法に代表される乾式タイル工法も広く普及している。
【考案の概要】
【考案が解決しようとする課題】
【０００４】
しかし、パネルがロッキングする構造の場合、以下のような課題があった。
（１）隣接するパネルをまたいでレールやタイルを配置すると、パネルのロッキング時にレールやタイルが破損してしまうため、一枚のパネル面の内側に割り付ける必要がある。
（２）乾式タイル工法ではなく湿式タイル工法で施工した場合、１０年毎の全数打診点検調査をする必要があり、費用およびコストがかかる。
（３）パネルをまたいでタイルを配置することができないため、パネルごとにシール目地を設けることとなり、意匠設計上問題となる。例えばパネル巾が６００ｍｍの場合には、その巾ごとにシール目地が見え、またそのシール代の費用もかさむ。
（４）工場にてパネルにタイルを貼り付ける工場生産方法もあるが、パネルは３ｍほどの長さがあるため、工場での貼り付け、現場搬入および取付までにパネルのたわみや変形が生じてしまう恐れがある。
【０００５】
本考案は、隣接するパネルをまたいでレールを配置することができる、乾式タイル構造を提供することを目的とする。
【課題を解決するための手段】
【０００６】
上記目的を達成するためになされた本願の第１考案は、建物の壁面パネルに水平に設けたレールにタイルを嵌合して前記壁面パネル表面にタイルを配置する、乾式タイル構造であって、前記レールは前記壁面パネルと平行な壁取付部と、前記壁取付部の上端および下端に立設する係止部と、を有し、前記レールは、前記壁取付部に形成したボルト穴に挿通するボルトによって前記壁面パネル表面に直接配置し、前記タイルを前記レールの係止部に係止して取り付け、前記レールは、前記ボルトを支点として前記壁面パネルに対して回動可能であることを特徴とする、乾式タイル構造を提供する。
本願の第２考案は、前記ボルト頭部と前記レールとの間に弾性部材を配置することを特徴とする、乾式タイル構造を提供する。
【考案の効果】
【０００７】
本考案は、上記した課題を解決するための手段により、次のような効果の少なくとも一つを得ることができる。
（１）タイルを係止するレールを、壁面パネルに対して回動可能とすることにより、壁面パネルのロッキングに追従してレールが回動する。
（２）壁面パネルのロッキングに追従してレールが回動するため、隣接する壁面パネルにまたがってレールおよびタイルを配置することができる。
（３）隣接する壁面パネルにまたがってレールおよびタイルを配置できるため、壁面パネルごとにシール目地を設ける必要がない。
（４）タイルはレールに係止して取り付けるため、取り付け作業が容易である。
（５）タイルはレールに係止して取り付けるため、１０年毎の全数打診点検調査をする必要がなく、費用およびコストが削減できる。
【図面の簡単な説明】
【０００８】
【図１】本考案の乾式タイル構造の説明図
【図２】レールの説明図
【図３】壁面パネルがロッキングした状態の説明図
【図４】縦胴縁を使用した形態の説明図
【考案を実施するための形態】
【０００９】
以下、図面を参照しながら本考案の実施の形態について説明する。
【実施例】
【００１０】
＜１＞乾式タイル構造。
本考案の乾式タイル構造は、壁面パネル１に直接レール２を取り付け、タイル３をレール２に取り付けることで、タイル３を壁面パネル１の表面に配置するためのものである。
壁面パネル１はＰＣ版や押出成形セメント版などからなり、地震などの外力に対してパネルがロッキングすることにより、層間変位に追従するものである。
レール２はボルト４によって壁面パネル１に取り付ける。
【００１１】
＜２＞レール。
レール２は、壁面パネル１の表面に取り付ける壁取付部２１と、壁取付部２１の両側縁に設ける係止部２２と、からなる。
【００１２】
＜２．１＞壁取付部。
壁取付部２１は、長尺の平板状の部材である。
壁取付部２１には、所定の間隔を隔ててボルト穴２１１を設ける。
ボルト穴２１１は壁取付部２１の長さ方向に長い長穴状とすると、レール２の温度変化による伸縮に追従することができる。
【００１３】
＜２．２＞係止部。
係止部２２は、壁取付部２１の両側縁から垂直に立設する部材である。
係止部２２は、先端を外側に折り返して突起状の嵌合部２２１を形成したのちに壁取付部２１方向に戻す。このように構成することにより、係止部２２は弾性を有する。
【００１４】
＜３＞タイル。
タイル３は平面視矩形の板体である。
タイル３の裏面には水平方向に連続する溝部３１を形成する。
溝部３１の高さ方向の断面は、タイル３の裏面から表面に向けて、タイル３の両外側方向に広がる形状とする。このような形状とすることにより、溝部３１の上端と下端には係合空間Ｓができる。
本実施例のタイル３は相じゃくり状としたが、断面視矩形状でもよい。
タイル３は係合空間Ｓにレール２の一方の嵌合部２２１を押し当てて、もう一方の嵌合部２２１を溝部３１に押し込むことにより、係止部２２の弾性により嵌合部２２１が係合空間Ｓに嵌合し、係止部２２により保持される。
タイル３はレール２に係止する乾式工法であるため、１０年毎の全数打診点検調査をする必要がなく、費用およびコストが削減できる。
【００１５】
＜４＞ボルト。
ボルト４は、レール２を壁面パネル１に取り付ける部材である。
ボルト４はレール２のボルト穴２１１と、壁面パネル１に設けたボルト穴１１に螺合して、レール２を支持する。
ボルト４は頭部４１と、ネジ部４２と、頭部４１とネジ部４２との間に設ける円筒部４３と、からなる。
円筒部４３の径は、壁面パネル１に設けたボルト穴１１の径よりも大径とする。
ボルト４の円筒部４３には、弾性体４４を外嵌する。
弾性体４４はワッシャー４４１の一方の面に樹脂などの弾性部材４４２を貼り付けて構成する。
ワッシャー４４１と弾性部材４４２を合わせた弾性体４４の厚さは、円筒部４３の長さよりも大きくする。
ボルト４の頭部４１とレール２との間は円筒部４３により間隔が保持されるため、外嵌する弾性体４４は、弾性部材４４２が所定の長さ変形した状態でレール２に押し付けることで、弾性部材４４２が緩衝材となり、レール２を後述するように回動可能な状態で壁面パネル１の表面に直接保持することができる。また、弾性部材４２２が壁面パネル１のボルト穴１１への雨水等の流入を防ぐ止水材となる。
レール２は回動可能な状態で保持すればよいため、ボルト頭部４１をリベット状にして、弾性体４４を用いずに、ボルト頭部４１とレール２との間に隙間を設けるように構成してもよい。
【００１６】
＜５＞レールの回動。
ボルト４の頭部４１とレール２との間に弾性体４２もしくは隙間を設けることにより、レール２はボルト４を支点として壁面パネルに対して回動可能である。このため、壁面パネル１がロッキングにより変位すると、レール２は壁面パネル１のロッキングに追従して回動するため、隣接する壁面パネル１にまたがって配置することができる。
レール２を壁面パネル１にまたがって配置できれば、タイル３もまた壁面パネル１にまたがって配置できるため、壁面パネル１ごとにシール目地を設ける必要がない。
ボルト４の頭部４１とレール２との間に弾性体４２を設けると、レール２が回動した際に、ボルト頭部４１とレール２との金属摩擦音の発生が防止できる。
【００１７】
［その他の実施例］
壁面パネル１に高さ方向に亘って縦胴縁５を固定し、その上面にレール２およびタイル３を固定してもよい（図４）。
縦胴縁５により、壁面パネル１とタイル３との間に空間Ｓが確保され、外断熱等の高機能壁に対応することができる。
【符号の説明】
【００１８】
１      壁面パネル
２      レール
２１    壁取付部
２２    係止部
２２１  嵌合部
３      タイル
３１    溝部
４      ボルト
４１    頭部
４２    弾性体
４２１  ワッシャー
４２２  弾性部材
５      縦胴縁
【図１】
0003204190.tif 000003
【図２】
0003204190.tif 000004
【図３】
0003204190.tif 000005
【図４】
0003204190.tif 000006